(57)【要約】【課題】泥溜め部の底部上面に堆積した異物の除去清掃作業を簡易に行うことができ、且つ泥溜め用容器を確実且つ適切に装着することのできる雨水ますを提供する。【解決手段】上部に開口部３が形成されると共に、側部に雨水が流出入する流入口４及び流出口５が夫々形成され、且つ下部に有底筒状の泥溜め部６が設けられたます本体２と、該ます本体２に着脱自在に装着される泥溜め用容器３０とを備えた雨水ますであって、前記ます本体２の底部上面に泥溜め用容器３０が載置される凸状部８が設けられている。【選択図】図１
2010222812.tif 000002
【特許請求の範囲】
【請求項１】
上部に開口部が形成されると共に、側部に雨水が流出入する流入口及び流出口が夫々形成され、且つ下部に有底筒状の泥溜め部が設けられたます本体と、該ます本体に着脱自在に装着される泥溜め用容器とを備えた雨水ますであって、
前記ます本体の底部上面に泥溜め用容器が載置される凸状部が設けられてなることを特徴とする雨水ます。
【請求項２】
前記凸状部の色彩が、ます本体の底部内面の色彩とは異なるように構成された請求項１記載の雨水ます。
【請求項３】
前記凸状部が、平面視環状に形成された請求項１又は２記載の雨水ます。
【請求項４】
前記凸状部に切溝が径方向に形成されて分断された請求項３記載の雨水ます。
【請求項５】
前記凸状部が、泥溜め部の中央側程低く傾斜する傾斜面部を備えた請求項１乃至４の何れか一つに記載の雨水ます。
【請求項６】
前記傾斜面部が、泥溜め用容器が載置される凸状部の上面に形成される第１傾斜面部と、該第１傾斜面部の内側に連設される第２傾斜面部とからなる請求項５記載の雨水ます。
【請求項７】
前記泥溜め部が雨水を貯留し且つ地中に浸透させる機能を有している請求項１乃至６の何れかに記載の雨水ます。
【発明の詳細な説明】
【技術分野】
【０００１】
本発明は、雨水を適切に処理することのできる雨水ますに関するものである。
【背景技術】
【０００２】
従来、この種の雨水ますとしては、例えば次のようなものが存在する。この従来のものは、上面に点検用の開口部を有し、且つ上部側側面に対向して流出入口が夫々開設されると共に、下部に有底筒状の泥溜め部が設けられたます本体と、該ます本体の泥溜め部に着脱自在に装着される有底筒状の泥溜め用容器とを備えたものである。前記泥溜め部の底部内面は全体が平面状に形成されており、この底部内面上に底面を載置させた状態で泥溜め用容器が装着される（特許文献１参照）。
【０００３】
実際の使用にあたっては、ます本体の開口部には蓋体が着脱自在に取付けられると共に、流出入口には雨水用配管が夫々接続される。そして、雨水中に含まれる泥、土砂、その他の異物の一部は泥溜め用容器により捕捉される。しかるに、泥等の異物が全て泥溜め用容器に補足されるわけではなく、その一部は泥溜め用容器と泥溜め部の内面部間から該泥溜め部に流入することになる。
【０００４】
また、この種の雨水ますにあっては、その機能を良好に維持にするために、定期的又は不定期にメンテナンスが行われる。即ち、泥溜め用容器をます本体の泥溜め部から取出して清掃が行われるのであるが、その際に泥溜め部内に流入した泥等の異物が、その底部上面を拡がるように流動してしまうことがある。
【先行技術文献】
【特許文献】
【０００５】
【特許文献１】特開２００６−２８３３５８号公報
【発明の概要】
【発明が解決しようとする課題】
【０００６】
しかしながら、泥溜め用容器を再度泥溜め部に装着する際に、上記の如く泥溜め用容器の載置面となる泥溜め部の底部上面に泥等の異物が存在すると、泥溜め用容器が傾倒する状態で装着されてしまい、このためにその異物捕捉機能が阻害されてしまうという虞があった。
【０００７】
また、泥溜め部の底部上面は平面状に形成されているために、これに堆積した異物の除去清掃作業は容易なものではなく、作業者にかかる作業負担も大きなものとなっていた。
【０００８】
それ故に、本発明は、かかる点に鑑みてなされたものであり、その目的とするところは、泥溜め部の底部上面に堆積した異物の除去清掃作業を簡易に行うことができ、且つ泥溜め用容器を確実且つ適切に装着することのできる雨水ますを提供することにある。
【課題を解決するための手段】
【０００９】
本発明に係る雨水ますは、上部に開口部が形成されると共に、側部に雨水が流出入する流入口及び流出口が夫々形成され、且つ下部に有底筒状の泥溜め部が設けられたます本体と、該ます本体に着脱自在に装着される泥溜め用容器とを備えた雨水ますであって、前記ます本体の底部上面に泥溜め用容器が載置される凸状部が設けられたものである。
【００１０】
このような雨水ますは、例えば流入口及び流出口に雨水用配管が接続された状態で、ます本体が地中に埋設されることになる。また、ます本体の開口部には必要に応じて蓋体が着脱自在に取付けられる。そして、泥溜め用容器はその底面が、前記泥溜め部の底部上面に設けた凸状部上に載置される状態で装着される。
【００１１】
また、例えば雨水ますのメンテナンスに際しては、ます本体から泥溜め用容器を取出して、各部の清掃が行われる。その際、泥等の異物が泥溜め部の底部上面に堆積したとしても、泥溜め用容器が載置される凸状部についてのみ異物を除去すれば足りる。即ち、泥溜め部の底部上面全体に渡って異物を除去する必要があった従来のものと比較して、容易に且つ迅速に異物の除去清掃作業を行うことが可能になる。そして、泥溜め用容器の底面を、定位置である泥溜め部の凸状部上に載置させて状態で再度装着することできる。これにより、泥溜め用容器による異物の捕捉機能が良好に維持されることになる。
【００１２】
また、前記凸状部の色彩は、ます本体の底部内面の色彩とは異なるように構成してもよい。
【００１３】
この場合は、泥溜め用容器をます本体の泥溜め部から取外した状態に於いて、ます本体の開口部から凸状部の位置、該凸状部上に於ける異物の有無、及びその堆積の程度等についても目視で容易に確認することができる。このため、上述したような凸状部からの異物の除去清掃作業が簡易に且つ的確に行えることになる。
【００１４】
更に、前記凸状部は平面視環状に形成することも可能である。
【００１５】
これによると、安定した状態で泥溜め用容器を載置することができるのは勿論のこと、凸状部自体の小面積化を図ることが可能となるために、異物の除去清掃作業が簡略化されて、作業者にかかる作業負担を軽減することができる。
【００１６】
また、前記凸状部は径方向に形成した切溝により分断してもよい。
【００１７】
これによると、凸状部の更なる小面積化を図ることができるために、現場での作業の効率化に貢献し得ることになる。
【００１８】
更に、前記凸状部は泥溜め部の中央側程低く傾斜する傾斜面部を備えさせることも可能である。
【００１９】
これによると、傾斜面部により凸状部上に堆積した異物が泥溜め部の中央側に移動し易くなるために、凸状部上に於ける異物の堆積量を軽減させ得ると共に、異物の除去清掃作業が簡易なものとなる。
【００２０】
また、前記傾斜面部は、泥溜め用容器が載置される凸状部の上面に形成される第１傾斜面部と、該第１傾斜面部の内側に連設される第２傾斜面部とから構成してもよい。
【００２１】
これよると、異物が第１傾斜面部から第２傾斜面部側へと移動し易くなるために、泥溜め用容器の載置面となる第１傾斜面部上に堆積する異物量の低減化を簡易に図ることができる。その結果、凸状部上の異物除去清掃作業がより一層に容易なものになる。
【００２２】
更に、前記雨水ますは、泥溜め部が雨水を貯留し且つ地中に浸透させる機能を有するように構成してもよい。
【００２３】
これによれば、雨水ますが所謂雨水貯留浸透ますとしての機能を備えるために、雨水を貯留して適切に地中へと浸透させることが可能になる。
【発明の効果】
【００２４】
本発明によれば、泥溜め部の底部上面に堆積した異物の除去清掃作業を簡易に行うことができる。また、常時泥溜め部の底部上面に泥溜め用容器を確実且つ適切に装着することができるために、泥溜め用容器が有する異物捕捉機能が損なわれるようなことはない。
【図面の簡単な説明】
【００２５】
【図１】本発明の一実施形態を示す雨水ますを示す断面図である。
【図２】同泥溜め部の底部上面を示す平面図である。
【図３】他の実施形態に係る雨水ますの一部を示す断面図である。
【図４】他の実施形態に係る雨水ますの一部を示す断面図である。
【図５】他の実施形態に係る雨水ますを示す断面図である。
【図６】図５に係る雨水ますの下蓋部材を示す平面図である。
【発明を実施するための最良の形態】
【００２６】
図１に示すように、本実施形態に係る雨水ます１は、合成樹脂製のます本体２と、該ます本体２内に着脱自在に装着される泥溜め用容器３０とを備えている。ます本体２は、上部に点検用の開口部３を有し、側部に流入口４と流出口５とが対向形成されており、下部には有底筒状の泥溜め部６を備えている。泥溜め部６は下部筒状部７に挿着されて、前記ます本体２の一部を構成している。ます本体２は、全体が灰色の色彩で形成されている。
【００２７】
泥溜め部６の底部上面外周部には凸状部８が平面視環状に形成されており、凸状部８には図２に示すように、所定間隔を有して径方向に複数設けた切溝９により分断されている。また、凸状部８は泥溜め部６の中央側程低く傾斜する傾斜面部１０を有している。凸状部８の色彩は、ます本体２の色彩とは異なる色彩で、且つ堆積する泥や土砂等の異物と識別できるような色彩で構成されており、その一例としては黄色や赤色等を挙げることができる。かかる色彩は、例えば塗料を塗着したり、或いはテープを貼着等したりして着色される。この色彩は必ずしも凸状部８全体に付す必要なく、例えば傾斜面部１０の色彩はます本体１と同色に構成してもよい。また、前記傾斜面部１０の内側に位置する泥溜め部６の底部上面の中央には、凹状部１１が形成されている。
【００２８】
泥溜め部６の上端面と下部筒状部７の上部内周面に形成された内向凸部１２間には、例えば硬質プラスチックやゴム等の可撓性を有する断面略Ｌの字状の浮上規制リング１３が挟着されている。浮上規制リング１３の内周部には、所定間隔を有して複数の係止片１４が内向きに設けられている。
【００２９】
泥溜め用容器３０は、上部外周面にフランジ部３１を有するバケツ状の容器本体３２と、そのフランジ部３１に両端部が回動自在に取付けられる略コの字状の把手３３と、該把手３３の上部中央に設けられて、作業時等に於ける目印ともなる識別片３４とを備えている。容器本体３２の底部外面には環状の脚部３５が設けられている。この脚部３５は、泥溜め用容器３０を前記ます本体２の泥溜め部６に装着した際に、該泥溜め部６の凸状部８に当接するように載置される。また、容器本体３２の底部には、複数の水切り孔３６が設けられている。尚、泥溜め用容器３０のフランジ部３１は前記浮上規制リング１３の係止片１４に係止されることにより、泥溜め用容器３０の不用意な浮上は規制される。
【００３０】
本実施形態に係る雨水ますは、以上のように構成されている。かかる雨水ます１は、例えば図１に示すように、宅地内の庭や車庫等に埋設して使用される。その際には、ます本体２の開口部３に円筒状の立管５０が接続され、流出入口４、５に雨水用配管５１が接続される。また、立管５０の上部は蓋体５２により閉塞され、該蓋体５２の上面は略地表面と略面一となるように施工される。
【００３１】
雨樋等からの雨水は、雨水用配管５１及び流入口４を介して雨水ます１内に流入し、その一部はます本体２及び泥溜め容器３０内に貯留され、雨水の流入量が多い場合等には流出口５から雨水用配管５１から流出することになる。また、雨水中に含まれる泥や土砂等の異物は、通常沈殿して泥溜め容器３０により捕捉される。その際、異物の一部は泥溜め容器３０の外周面と泥溜め部６の内周面との隙間から該泥溜め部６内に流入することになる。
【００３２】
この種の雨水ます１にあっては、その機能を良好に維持するために、例えば以下のようにして定期的又は不定期にメンテナンスが行われる。即ち、作業者が先ず蓋体５２を立管５０から取外し、泥溜め容器３０の把手３３を把持して引き上げる。その際、泥溜め容器３０のフランジ部３１が浮上規制リング１３の係止片１４に係合することになるが、該係止片１４は可撓性を有しているために、適切に撓んで泥溜め容器３０の引き上げ作業に支障を与えるようなことはない。
【００３３】
そして、泥溜め容器３０に溜まった泥等の異物を除去する等、各部の清掃を行う。その後、把手３３を把持しつつ泥溜め容器３０を立管５０から挿入して、その脚部３５が泥溜め部６の凸状部８上に載置されるように装着する。しかるに、上記の如く泥溜め容器３０をます本体２から取外した際に、その泥溜め部６内に流入していた異物が該泥溜め部６の凸状部８上に流動して拡がるように堆積することがある。
【００３４】
このようなます本体２の内部の状態は、通常作業者が地上から目視により確認するのであるが、前記泥溜め部６の凸状部８は、ます本体２の色彩とは異なる色彩で、且つ堆積する異物と識別できるような色彩で構成されているために、凸状部８の位置、該凸状部８上の異物の有無、及びその堆積の程度を容易に視認することができる。これにより、凸状部８の異物の除去清掃作業を簡易に且つ的確に行うことが可能になる。
【００３５】
また、その作業は泥溜め部６の底部内面全体ではなく、凸状部８の載置面についてのみ行えばよく、しかもこの凸状部８には切溝９が設けられて、凸状部８小面積化が図られているために、作業者にかかる作業負担が軽減されることになる。
【００３６】
更に、凸状部８は泥溜め部６の中央側程低く傾斜する傾斜面部１０を有すると共に、その内側に位置する泥溜め部６の中央には凹状部１１が形成されている。従って、除去すべき凸状部８上の異物量がさほど多くないような場合は、これを凹状部１１内に移動させてやればよい。これによると、異物を泥溜め部６から外部へ取出す必要がなくなるために、一連の現場作業が簡略化される。
【００３７】
また、泥溜め容器３０の底部外面には脚部３５が形成されているために、該底部外面と泥溜め部６の凹状部１１との間には、比較的容量のある空間部６０が形成されることになる。従って、異物が凸状部８よりも多少高くなる程度にまで凹状部１１に堆積されたとしても、何の支障もなく泥溜め用容器３０を泥溜め部６に装着することができる。
【００３８】
更に、本実施形態に係る雨水ます１は、全体の構成が非常に簡易であるために、その製作を容易に且つ安価に行うことができるという実用的な利点もある。
【００３９】
尚、上記実施形態に於いては、凸状部８を泥溜め部６の底部上面外周部に設けているが、本発明は決してこれに限定されない。凸状部８を設ける位置は、例えば泥溜め用容器３０の底面形状やその大きさ等に応じて適宜変更が可能である。要は、凸状部８は、泥溜め用容器３０を載置し得るように、泥溜め部６の底部上面の所定位置に設けられればよい。
【００４０】
また、凸状部８の具体的な形状や数等の構成も、上記実施形態の如きものに限定されず、切溝９は省略しても構わない。更に、例えば図３に示すように、泥溜め部６の底部上面中央に円柱状又は平面視方形状に形成したり、複数の突起で構成したりしてもよい。
【００４１】
また、上記実施形態に於ける凸状部８は、その内側に傾斜面部１０を備えるように構成しているが、図４に示すように、凸状部８の上面に泥溜め部６の中央側程低く傾斜する第１傾斜面部１０ａを設けることも可能である。これによると、異物が第１傾斜面部１０ａから第２傾斜面部１０ｂ側へと移動し易くなるために、泥溜め用容器３０の載置面となる第１傾斜面部１０ａ上に堆積する異物量の低減化を図ることができる。その結果、凸状部８上の異物除去清掃作業がより一層に容易なものになる。但し、凸状部８には必ずしもこれらの第１及び第２傾斜面部１０ａ、１０ｂを設ける必要はなく、省略してもよい。
【００４２】
更に、凸状部８の色彩は必要に応じて付されるものであり、特に必要がなければます本体２と同色に構成しても構わない。
【００４３】
また、上記実施形態では、一般的な雨水ます１について説明したが、本発明にいう「雨水ます」には所謂雨水浸透ますや雨水貯留浸透ます等も含む概念である。以下、雨水貯留浸透ます１について簡単に説明する。図５に示すように、ます本体２は通常の雨水ます１のものよりも容量が大きい箱形形状に形成されており、四方の側面を構成する壁部材７０と、該壁部材７０の上下に夫々嵌合可能な上下蓋部材７１、７２と、前記壁部材７０の外周に添設される透水シート７３とを備えている。壁部材７０及び下蓋部材７２には多数の透水孔７４が穿設されており、該透水孔７４を介してます本体２内に貯留された雨水が外部に流出して、地中に浸透することになる。また、壁部材７０の内部には、ます本体２内に流入した雨水を泥溜め用容器３０に誘導するために、該泥溜め用容器３０を挿着可能な円孔７５を備えた隔壁７６が設けられている。隔壁７６は円孔７５側程低くなるように傾斜している。また、ます本体２の底面を構成する下蓋部材７２の上面には、泥溜め用容器３０の脚部３５が載置される凸状部８が形成されている。尚、使用しない流入口４はキャップ７７により閉塞されている。図６に示すように、凸状部８は円環状に形成され、所定間隔を有して切溝９が径方向に形成されて分断されている。このような構成からなる雨水貯留浸透ます１に於いても、上記実施形態に係る雨水ます１と同様の作用効果を得ることができる。
【００４４】
その他、雨水ます１の各部の形状等の具体的な構成も本発明の意図する範囲内に於いて任意に設計変更自在である。
【符号の説明】
【００４５】
１    雨水ます
２    ます本体
３    開口部
４    流入口
５    流出口
６    泥溜め部
８    凸状部
９    切溝
１０ａ    第１傾斜面部
１０ｂ    第２傾斜面部
３０    泥溜め用容器
【図１】
2010222812.tif 000003
【図２】
2010222812.tif 000004
【図３】
2010222812.tif 000005
【図４】
2010222812.tif 000006
【図５】
2010222812.tif 000007
【図６】
2010222812.tif 000008